(57)【要約】      （修正有）【課題】カザグルマ等の回転体を使用した装飾品において、夜間でも、風を受けない場所でも楽しむことができ、従来にない斬新な装飾効果を与えることのできる装飾品を簡素に且つ安価に提供する。【解決手段】カザグルマ等の回転体１を使用した装飾品において、回転体１の羽根４に任意数のＬＥＤランプを取り付け、固定中心軸２の周囲に回転自在な回転筒３を設け、この回転軸３の周囲に、第一円管６と第二円管７とを所定間隔を置いて配設し、第一円管６の位置から羽根４に向けて第二円管７の位置を越えて回転筒３上を延出する第一の導電部材８を設ける。また、絶縁材１０を介して第二円管７の位置から羽根４に向けて所定長さで回転筒３上を延出する第二の導電部材１１を設け、ＬＥＤランプのアノード側とカソード側への配線基端部１２、１３が両円管６、７よりも羽根４寄りの位置になるようにする。【選択図】図１
0003175588.tif 000002
【実用新案登録請求の範囲】
【請求項１】
任意数の羽根を有する回転体の羽根に任意数のＬＥＤランプを固定し、このＬＥＤランプに電気を供給して点灯させるようにした装飾用の回転体であって、前記回転体の固定中心軸の周囲に筒状の回転筒を回転自在に嵌装し、この回転筒の先端部に前記羽根を取付け、また、回転筒の中間部の周囲に、ＬＥＤランプのアノード側とカソード側の給電するための一対の導電性の円管を所定間隔置きに別個に配設し、羽根より遠い側の円管の位置から羽根に向けて回転筒上を延出する第一の導電部材を、他方側の円管の位置を越えて且つ他方側の円管と絶縁状態を保持した状態で配設するとともに、羽根に近い側の円管の位置から羽根に向けて回転筒上を所定長さで延出し且つ前記第一の導電部材と絶縁状態を保持した状態の第二の導電部材を配設することにより、羽根に固定されるＬＥＤランプに対するアノード側への配線基端部とカソード側に対する配線基端部が、いずれも前記両方の円管よりも羽根に近い側の回転筒上に位置するようにしたことを特徴とする装飾用の回転体。
【請求項２】
前記回転体の回転筒を、垂直軸から水平方向に張出す一本又は複数本の水平軸の先端に設けることを特徴とする請求項１に記載の装飾用の回転体。
【請求項３】
前記水平軸の先端から多数の水平軸を分岐させ、分岐した水平軸の先端にそれぞれ回転体の回転筒を設けることを特徴とする請求項２に記載の装飾用の回転体。
【請求項４】
前記垂直軸及び／又は回転筒をそれぞれの軸周りに回転させるための電動モータを設けることを特徴とする請求項２又は請求項３に記載の装飾用の回転体。
【請求項５】
前記垂直軸及び／又は回転筒の回転速度を可変にすることを特徴とする請求項４に記載の装飾用の回転体。
【請求項６】
前記ＬＥＤランプに対する電源のオン・オフが、前記垂直軸及び／又は回転筒の回転角度によって制御されるようにしたことを特徴とする請求項４又は請求項５に記載の装飾用の回転体。
【考案の詳細な説明】
【技術分野】
【０００１】
本考案は、回転体の羽根に発光ダイオード（以下、ＬＥＤランプという。）を取り付け、これを発光させることにより、従来にない装飾効果が得られるようにした簡易構造の装飾用の回転体に関する。
【背景技術】
【０００２】
従来、日本古来から親しまれてきた折り紙等のジャンルに属するカザグルマは、自然の風の力を受けて回転するため、回転体そのものに色彩性や創作的な形状等の創意が加えられて楽しまれてきた歴史を有している。このようなカザグルマにおいて、カザグルマの回転によって電気を起こし、この電気を利用して、カザグルマの中空軸に内蔵したＬＥＤランプを発光させるような観賞用カザグルマも知られている。（例えば、特許文献１参照。）
【先行技術文献】
【特許文献】
【０００３】
【特許文献１】実用新案登録第３１９５７６１号公報
【考案の概要】
【考案が解決しようとする課題】
【０００４】
ところで、カザグルマの動力源はすべて自然の風を利用しており、例えば室内等において風を受けない場所にカザグルマを主体とする装飾物等を設置しても風情を楽しむことが出来なかった。また、カザグルマの回転は、昼間において明るい場所では視認できるものの、夜間においては視認することができず、前記特許文献１のような技術でも、カザグルマの回転によって、中空軸内のＬＥＤランプが発光するだけで、羽根の回転そのものを視認できないため、装飾効果に限度があった。
一方、カザグルマ等の回転体の羽根にＬＥＤランプを装着し、各ＬＥＤランプに電力を供給して発光させようとする場合、カーボンブラシ等を内蔵したスリップリングを使用することが考えられるが、カザグルマ等の回転軸は比較的細いためメカニズム的に難しく、メカニズム的に解決できたとしてもコストが高騰するという問題があった。
【０００５】
そこで本考案は、カザグルマ等の回転体の装飾物において、夜間でも、また風を受けない場所でも楽しむことができ、しかも、従来にない斬新な装飾効果を与えることのできる装飾用の回転体を簡素に且つ安価に構成できるようにすることを目的とする。
【課題を解決するための手段】
【０００６】
上記目的と達成するため本考案は、任意数の羽根を有する回転体の羽根に任意数のＬＥＤランプを固定し、このＬＥＤランプに電気を供給して点灯させるようにした装飾用の回転体において、前記回転体の固定中心軸の周囲に筒状の回転筒を回転自在に嵌装し、この回転筒の先端部に前記羽根を取付け、また、回転筒の中間部の周囲に、ＬＥＤランプのアノード側とカソード側の給電するための一対の導電性の円管を所定間隔置きに別個に配設し、羽根より遠い側の円管の位置から羽根に向けて回転軸上を延出する第一の導電部材を、他方側の円管の位置を越えて且つ他方側の円管と絶縁状態を保持した状態で配設するとともに、羽根に近い側の円管の位置から羽根に向けて回転筒上を所定長さで延出し且つ前記第一の導電部材と絶縁状態を保持した状態の第二の導電部材を配設することにより、羽根に固定されるＬＥＤランプに対するアノード側への配線基端部とカソード側に対する配線基端部が、いずれも前記両方の円管よりも羽根に近い側の回転筒上に位置するようにした。
【０００７】
このように、回転体の羽根に固定されるＬＥＤランプに電気を供給するため、ＬＥＤランプのアノード側とカソード側の給電するための一対の導電性の円管を使用し、また、ＬＥＤランプに対する配線基端部をいずれも前記両方の円管より羽根に近い側の回転筒上に位置させることにより、ＬＥＤランプに配線されるリード線が羽根の回転によって捩れたり、絡んだりするような不具合を防止することができ、しかも、高価なスリップリングなどの部品を使用することなく、安価に且つ簡単に構成することができる。なお、ＬＥＤランプに対する配線基端部とは、直列方式や並列方式などに拘らず、回転体の羽根に固定されるすべてのＬＥＤランプに向けて配線することができる回路の基端側部分である。
ここで、ＬＥＤランプとしては、例えば市販されている赤、青、緑、黄、白色などのものを自由に用いることができ、これらの色彩を単独で、あるいは組み合わせて使用することができる。
また、回転体としては、例えば装飾用の風車や水車などが好適であるが、玩具用のカザグルマ等に適用することも可能である。
【０００８】
また本考案では、前記回転体の回転筒を、垂直軸から水平方向に張出す一本又は複数本の水平軸の先端に設けるようにし、また、水平軸の先端から多数の水平軸を分岐させ、分岐した水平軸の先端にそれぞれ回転体の回転筒を設けるようにした。
このように、水平軸先端に複数の回転体を設けたり、水平軸を多数分岐させてそれぞれの水平軸に多数の回転体を設けたりすれば、例えば、芸術品のオブジェ等として常時展示することで人目を引く斬新な造形装飾品となる。
【０００９】
また、本考案では、前記垂直軸及び／又は回転筒をそれぞれの軸周りに回転させるための電動モータを設けたり、これら垂直軸及び／又は回転筒の回転速度を可変にしたり、ＬＥＤランプに対する電源のオン・オフが、前記垂直軸及び／又は回転筒の回転角度によって制御されるようにした。
【００１０】
このように、垂直軸及び／又は回転筒をそれぞれの軸周りに回転させるための電動モータを設けることにより、例えば自然の風を受けなくても回転するため、例えば美術館等における室内展示品や装飾品等として適用することができる。
また、垂直軸や回転筒の回転速度を可変にしたり、ＬＥＤランプの電源のオン・オフを回転角度で制御することにより、例えば暗闇に漂う蛍のような幽玄な世界を現出させることができ、風の有無や、昼夜の区別なく人々に癒し効果を与えることができる。
【考案の効果】
【００１１】
回転体の羽根にＬＥＤランプを取り付け、このＬＥＤランプに対する電気の供給として、アノード側に給電するためと、カソード側に給電するための一対の円管を使用し、また、配線基端部を両方の円管より羽根に近い側に位置させることにより、簡単な構造でしかも安価に構成することができる。
そして、この回転体の回転筒を水平軸の先端に複数設けることによりそれぞれの回転体が別個に回転するようにすれば、複雑な動きが楽しめる従来にない斬新な装飾品となり、しかも、垂直軸や回転筒を回転させるための電動モータを設ければ、風を受けなくても回転するため、風を受けない室内等においても、また、夜間等においても広く楽しむことができ、人々に癒し効果を与えることができる。
【図面の簡単な説明】
【００１２】
【図１】本考案に係る装飾用の回転体のＬＥＤランプへの給電機構を説明する要部図である。
【図２】八枚の羽根を備えたカザグルマ（回転体）の羽根にＬＥＤランプを取り付けた状態を示す一例図である。
【図３】八つのＬＥＤランプへの配線の一例を示す配線図である。
【図４】垂直軸から分岐する多数の水平軸先端に複数の回転体を設ける場合の構成例図である。
【考案を実施するための形態】
【００１３】
本考案の実施の形態について添付した図面に基づき説明する。
本考案に係る装飾用の回転体は、装飾用のカザグルマ等の回転体の羽根に市販のＬＥＤランプを取り付けることにより従来にない斬新な装飾品または造形物を安価に提供できるようにされ、高価なスリップリング等を使用することなく、回転中のＬＥＤランプに電気を供給して発光させることができるようにされている。
【００１４】
すなわち、この装飾用の回転体１の基本構造は、図１に示すように、金属または樹脂素材等により構成される固定中心軸２と、この固定中心軸２の先端側周囲に回転自在に嵌装される筒状の回転筒３と、この回転筒３の先端部に取り付けられる羽根４を備えており、この羽根４には、任意数のＬＥＤランプ（図１には不図示）が取り付けられている。
【００１５】
そしてこの回転体１としては、例えば風を受けて羽根４が回転する装飾用のカザグルマの場合もあり、玩具用のカザグルマの場合もあり、水の流れで羽根４が回転する装飾用の水車の場合などがあるが、装飾用または玩具用のカザグルマなどの場合には、羽根４として、樹脂フィルム製、または紙製などの素材により構成することができる。
この際、前記回転筒３の素材としては、例えば樹脂製等の絶縁素材や、表面に絶縁処理が施された金属素材等が適用可能である。
【００１６】
また、回転筒３の中間部の周囲には、羽根４より遠い側の導電性の第一円管６と、羽根４に近い側の第二円管７が所定間隔を置いて配設され、それぞれの円管６、７に、電源から延びるプラスとマイナスの配線２０、２１が別個に接続されるとともに、回転筒３と各円管６、７の間には、第一円管６と第二円管７の長さより長い第一の導電部材８が回転筒３上に固定され、この導電部材８の先端部は、第二円管７の位置を越えて羽根４の近くまで延出している。そして、第二円管７が位置する導電部材８の外周面には、薄い絶縁材１０を介して第二の導電部材１１が固定され、この導電部材１１の先端部が羽根４に向けて所定長さで延出している。
このため、回転筒３が回転すると、第一の導電部材８や、絶縁材１０や、第二の導電部材１１が一体に回転するようにされている。
【００１７】
そして、第一の導電部材８と第二の導電部材１１のうち、第二円管６を超えて羽根４側に近い箇所に、ＬＥＤランプのアノード側とカソード側に配線する配線基端部１２、１３が別個に設けられている。
【００１８】
また、回転筒３より後方の中心軸２の上部には、Ｌ字型で所定幅の位置規制部材１４の一端側が固定されて一辺側が各円管６、７の上部を覆っており、この位置規制部材１４によって、第一円管６と第二円管７が回転筒３に連れ回されるのを規制するようにしている。
すなわち、前記したように、第一、第二円管６、７には、ＬＥＤランプを発光させるため、アノード側とカソード側に給電するための電源からの配線２０、２１が接続されるが、その配線２０、２１の基端側の一部を、各円管６、７上部の位置規制部材１４に設けた一対の孔ｈを通すことにより、第一、第二円管６、７が連れ回されようとするのを阻止する。
【００１９】
ところで、回転体１が、例えば、図２に示すような八枚羽根のカザグルマである場合のＬＥＤランプ５への配線の一例を図３に基づき説明する。
電源としては、例えば、乾電池やバッテリー等の直流電源を使用することができるが、そのほか、家庭用の交流電源を整流器等によって直流に変換して使用しても良い。
【００２０】
そして、複数のＬＥＤランプ５に対して直列方式の回路としてもよく、並列方式の回路としてもよいが、図３では並列方式の回路とし、電源のプラス側の配線２０を、それぞれの抵抗Ｒを介してＬＥＤランプ５のアノード側Ａに接続し、電源のマイナス側の配線２１を、ＬＥＤランプ５のカソード側Ｃに接続する。
なお、以上のような配線は、例えば羽根４の裏側や、中空構造の羽根４の中を通すことにより、外部から視認しにくく、目立たないように配線することが好ましい。
また、ＬＥＤランプ５の配置は、半径方向に対してお互いの位置をずらすことにより、羽根４が回転したときお互いの光の干渉を避けることができるが、具体的な配置や、ランプの色彩等は任意である。
また、本実施例では、それぞれのＬＥＤランプ５に対して別個に抵抗Ｒを設けることにより、それぞれのＬＥＤランプ５の色彩等に適した抵抗値にしているが、ＬＥＤランプ５の色彩等がすべて同一であるような場合は、一つの総合抵抗Ｒから分岐させた配線をＬＥＤランプ５に接続するようにしてもよい。
【００２１】
以上のような構成において、第一円管６は自重により常に第一の導電部材８に接触し、第二円管７は自重により常に第二の導電部材に接触し、両者が絶縁されていることから、電源から供給される電気はＬＥＤランプのアノード側とカソード側に流れて発光させることができ、また、羽根４が風を受けて回転すると、回転筒３も一緒に回転し、回転筒３と一体に回転する第一の導電部材８や第二の導電部材１１、及び配線基端部１２、１３から延びるリード線も一体に回転するため、配線が絡まったり、巻き付いたりするような不具合がない。
【００２２】
また、回転筒３の回転によって、第一、第二円管６、７が連れ回されようとするが、電源から配線される配線２０、２１の一部が位置規制部材１４の孔ｈを通っているため、それが阻止される。
【００２３】
ところで、以上の説明では、回転体１として、単独のカザグルマの例をとって説明したが、このような回転体１は、図４に示すように、垂直軸１５から水平方向に張出す複数の水平軸１６の先端に複数設けるようにしてもよく、また、水平軸の先端部から多数の水平軸１７を分岐させ、各分岐水平軸１７の先端に回転体１を設けるようにしてもよい。
【００２４】
また、風を受けて回転する羽根４の代わりに、回転筒３を不図示の電動モータで回転させるようにしてもよく、この際、垂直軸１５を不図示の電動モータで回転させるようにしてもよい。この際、電動モータとしては、例えば垂直軸１５と水平軸１６の交差部や、垂直軸１６の基端部等に配置すれば、装置のコンパクト化が図れる。
この際、それぞれの回転速度を可変にしたり、ＬＥＤランプに対する電源のオン・オフを、垂直軸１５や回転筒３の回転角度によって制御したりすれば、例えば、暗闇に漂う蛍のような幽玄な世界を現出させることができる。
【００２５】
以上のような構成によって、従来にない斬新な形態の装飾品にすることができ、しかも安価に構成することができる。
【００２６】
なお、本考案は以上のような実施形態に限定されるものではない。本考案の実用新案登録請求の範囲に記載した事項と実質的に同一の構成を有し、同一の作用効果を奏するものは本考案の技術的範囲に属する。
例えば、回転体の種類等は例示であり、また回転体の羽根の形状やＬＥＤランプの数や取付位置等も任意である。更に、各円管６、７に接続する配線２０、２１のプラス、マイナスの方向は任意であることはいうまでもない。
【産業上の利用可能性】
【００２７】
従来にない斬新な装飾品であり、風を受けない室内等においても、夜間等においても広く楽しむことができるため、新規な造形品として広い普及が期待される。
【符号の説明】
【００２８】
１…回転体、２…中心軸、３…回転筒、４…羽根、５…ＬＥＤランプ、６…第一円管、７…第二円管、８…第一の導電部材、１１…第二の導電部材、１２、１３…配線基端部、１５…垂直軸、１６、１７…水平軸。
【図１】
0003175588.tif 000003
【図２】
0003175588.tif 000004
【図３】
0003175588.tif 000005
【図４】
0003175588.tif 000006